(57)【要約】  ＥＭＩ、ＲＦＩまたはＥＳＤの少なくとも１つに対して細長い部材を保護するための織物スリーブおよびその構築方法が提供される。スリーブ（１０）は、両端（１６，１８）の間の長手方向軸（１４）に沿って延びる壁部（１２）を備える。前記壁部（１２）は、互いに組み合わされた複数のフィラメントから形成され、前記フィラメントの少なくとも１つは導電ワイヤ（２０）の連続的なストランドとして提供され、前記フィラメントのいくつかは、熱可溶融性非導電フィラメント（２２）として提供され、熱可溶融性非導電フィラメント（２２）は、結合ジョイント（２２）において、導電ワイヤ（２２）の前記連続的なストランドに当接する。導電ワイヤ（２２）の前記連続的なストランドは、熱可溶融性非導電フィラメント（２２）と結合され固定された取付部に少なくとも部分的に埋め込まれる。
2017524078.tif 000002
【特許請求の範囲】
【請求項１】
ＥＭＩ、ＲＦＩまたはＥＳＤの少なくとも１つに対して細長い部材を保護するための織物スリーブであって、
両端部の間を長手方向軸に沿って延びる壁部を備え、前記壁部は、互いに組み合わされた複数のフィラメントから形成され、前記フィラメントの少なくとも１つは、導電ワイヤの連続的なストランドとして提供され、前記フィラメントの少なくとも１つは、熱可溶融性非導電フィラメントとして提供され、導電ワイヤの前記連続的なストランドは、前記少なくとも１つの熱可溶融性非導電フィラメントの溶融され固化された材料で形成される結合ジョイントにおいて、前記少なくとも１つの熱可溶融性非導電フィラメントと固定された取付部に少なくとも部分的に埋め込まれる、織物スリーブ。
【請求項２】
前記壁部は、前記長手中心軸に概して平行に延びる対向する縁部を有し、前記対向する縁部を互いに重畳する関係に付勢する少なくとも１つのヒートセットフィラメントをさらに備える、請求項１に記載の織物スリーブ。
【請求項３】
前記少なくとも１つの熱可溶融性非導電フィラメントは、モノフィラメントである、請求項２に記載の織物スリーブ。
【請求項４】
前記少なくとも１つのヒートセットフィラメントは、モノフィラメントである、請求項３に記載の織物スリーブ。
【請求項５】
前記少なくとも１つの熱可溶融性非導電モノフィラメントおよび前記少なくとも１つのヒートセットモノフィラメントは、第１の溶融温度を有する熱可溶融性材料の外側シースであって前記少なくとも１つの熱可溶融性非導電フィラメントを形成する前記外側シースと、前記第１の溶融温度よりも大きい第２の溶融温度を有するヒートセット可能な材料の内側コアとを有する複合モノフィラメントとして提供され、前記内側コアは、前記少なくとも１つのヒートセットフィラメントを形成する、請求項４に記載の織物スリーブ。
【請求項６】
前記少なくとも１つの複合モノフィラメントのうちの少なくとも１つは、前記長手軸の周りで周方向に延びる、請求項５に記載の織物スリーブ。
【請求項７】
前記壁部は、前記長手軸に概して平行に延びる縦糸および前記長手軸を概して横切って延びる横糸で織られ、前記縦糸の少なくとも１つおよび前記横糸の少なくとも１つは、導電ワイヤの前記連続的なストランドとして提供され、前記横糸の少なくとも１つは、前記少なくとも１つの熱可溶融性非導電モノフィラメントとして提供され、前記横糸の少なくとも１つは、前記少なくとも１つのヒートセットモノフィラメントとして提供される、請求項２に記載の織物スリーブ。
【請求項８】
前記少なくとも１つの導電ワイヤの連続的なストランドは、導電マルチフィラメントと共に撚られまたは用いられる前記少なくとも１つの導電ワイヤの連続的なストランドを含むハイブリッドフィラメントである、請求項７に記載の織物スリーブ。
【請求項９】
前記複数のフィラメントは、前記導電ワイヤの連続的なストランドによって結合される一般にダイヤモンド形の開口部を形成するために、互いに編組され、前記一般にダイヤモンド形の開口部は、前記結合ジョイントによって大きさが固定される、請求項１に記載の織物スリーブ。
【請求項１０】
前記熱可溶融性非導電フィラメントは、マルチフィラメントである、請求項１に記載の織物スリーブ。
【請求項１１】
前記壁部は、前記長手軸の周りでシームレスであり周方向に連続的である、請求項１に記載の織物スリーブ。
【請求項１２】
前記壁部は、編まれている、請求項１に記載の織物スリーブ。
【請求項１３】
少なくともＥＭＩ、ＲＦＩまたはＥＳＤのうちの１つに対して、細長い部材を保護するための織物スリーブを構築するための方法であって、
両端部の間で長手方向軸に沿って延びる壁部を、複数のフィラメントを互いに組み合わせることによって形成し、前記フィラメントの少なくとも１つを導電ワイヤの連続的なストランドとして、前記フィラメントの少なくとも１つを熱可溶融性非導電フィラメントとして提供することと、
少なくとも部分的に前記導電ワイヤの連続的なストランドを前記熱可溶融性非導電フィラメント内に埋め込み、前記導電ワイヤの連続的なストランドを前記熱可溶融性非導電フィラメントとの相対移動に対して固定することとを備える、方法。
【請求項１４】
前記熱可溶融性非導電フィラメントを前記導電ワイヤの連続的なストランドと結合され固定された取付部に熱可溶融性することをさらに含む、請求項１３に記載の方法。
【請求項１５】
前記複数のフィラメントの少なくとも１つをヒートセットすることによって、前記壁部の対向する縁部を互いに重畳する関係に付勢することをさらに含む、請求項１４に記載の方法。
【請求項１６】
前記熱可溶融性することとヒートセットすることを同時動作において行うことをさらに含む、請求項１５に記載の方法。
【請求項１７】
前記組み合わせることを織プロセスで行うことをさらに含む、請求項１３に記載の方法。
【請求項１８】
ワイヤの前記連続的なストランドを、前記長手軸に概して平行に延びる縦方向および前記長手軸を概して横切って延びる横方向に織ることをさらに含む、請求項１７に記載の方法。
【請求項１９】
前記熱可溶融性非導電フィラメントを、第１の溶融温度を有する熱可溶融性材料の外側シースおよび前記第１の溶融温度よりも大きい第２の溶融温度を有するヒートセット可能な材料の内側コアを有する複合モノフィラメントとして提供することをさらに含む、請求項１８に記載の方法。
【請求項２０】
前記外側シースを、前記導電ワイヤの連続的なストランドと結合され固定された取付部に熱溶融することと、前記内側コアをヒートセットすることによって前記壁部の対向する縁部を互いに重畳する関係に付勢することとをさらに含む、請求項１９に記載の方法。
【請求項２１】
前記導電ワイヤの連続的なストランドを、導電マルチフィラメントと共に撚られまたは用いられる前記少なくとも１つの導電ワイヤの連続的なストランドを含むハイブリッドフィラメントとして提供することをさらに含む、請求項２０に記載の方法。
【請求項２２】
前記導電ワイヤの連続的なストランドを、導電マルチフィラメントと共に撚られまたは用いられる前記少なくとも１つの導電ワイヤの連続的なストランドを含むハイブリッドフィラメントとして提供することをさらに含む、請求項１３に記載の方法。
【請求項２３】
前記組み合わせることを編組プロセスにおいて行うことをさらに含む、請求項１３に記載の方法。
【請求項２４】
前記組み合わせることを編みプロセスにおいて行うことをさらに含む、請求項１３に記載の方法。
【発明の詳細な説明】
【技術分野】
【０００１】
関連出願の相互参照
本出願は、２０１４年７月１６日に出願された米国特許出願第１４／３３３３４２号の利点を主張し、出願の全開示は、本出願の開示の一部とみなされ、本明細書中で参照として引用される。
【０００２】
発明の背景
１．技術分野
本発明は、細長い部材を保護するための管状のスリーブに関し、特に電磁干渉、無線周波数干渉、および静電放電のうちの少なくとも１つに対する保護を提供するワイヤフィラメントを有する管状スリーブに関する。
【背景技術】
【０００３】
２．関連技術
電磁干渉（ＥＭＩ）、無線周波数干渉（ＲＦＩ）、および静電放電（ＥＳＤ）は、近くの電気導体と伝播電磁波との間の誘導結合に干渉によって引き起こされる、電子部品が適切に機能するための潜在的な問題を引き起こすことが知られている。たとえば、自動車の電力システムに関連付けられた導体における電流は、エンジンの機能を制御する電子モジュールのような、種々の電子部品でスプリアス信号を誘導し得る。このような干渉は、所望以外のように車両を動作させ、車両の制御モジュールまたは他の構成要素の性能をダウングレードし得る。
【０００４】
同様に、コンピュータネットワークまたは他の通信システムにおいてデータを搬送する電気ワイヤおよび線の間の誘導結合は、ネットワークを介して送信されるデータの破損の影響を有しうる。
【０００５】
ＥＭＩ、ＲＦＩおよびＥＳＤの悪影響は、ＥＭＩ、ＲＦＩおよびＥＳＤに敏感な部品の適切なシールドおよび接地により、効果的に除去されることができる。たとえば、不必要な干渉を受けうる制御信号を搬送するワイヤは、保護スリーブを使用することによって遮蔽されうる。スリーブは、一般に平坦または円筒形であることができ、スリーブは、導電および非導電成分から形成され、導電成分は、典型的には、スリーブの製造の間にスリーブと組み合わされたドレイン線を介して接地される。典型的には、導電成分は、銀コーティング等の導電金属で被覆されたナイロン（登録商標）などのポリマーフィラメントの形態をとる。そうでなければ、導電性の「ハイブリッドヤーン」を形成するために、ワイヤの個々のストランドを、標準的な非導電モノフィラメントおよび／またはマルチフィラメントヤーンとともに撚るか用いることが知られている。
【０００６】
上記のように構成されたＲＦＩ、ＥＭＩ、およびＥＳＤスリーブは、電気的な干渉を排除することにおいて、一般的に有効になり得、特にスリーブは銀のような高価なコーティングが使用されているときは、製造に比較的高価であり得、導電繊維構成要素との間に導電接続を確立し、維持する上で非効率性を示し得る。また、導電コーティングが摩耗することにより、ＲＦＩ、ＥＭＩ、および／またはＥＳＤ保護を提供し維持するためのスリーブの能力に影響が与えられ得る。さらに、ワイヤが標準の非導電モノフィラメントおよび／またはマルチフィラメントヤーンと共に撚られるか用いられるハイブリッドヤーンで構成されるスリーブは、ワイヤと標準的な非導電モノフィラメントおよび／またはマルチフィラメントヤーンとが固定されていないか互いに結合していないため、それらは互いに対して移動自在であるので、典型的には冷却切断時に端部でほつれを示す。さらに、ハイブリッドヤーンは、組み合わされる際に互いに対してずれる傾向があり、それによってＥＭＩ、ＲＦＩおよび／またはＥＳＤに対する最大のシールドを提供し維持する能力に潜在的にマイナスの影響を与える。ずれは、ワイヤがそれらの意図された位置から移動する結果としてマイナスの影響を有しており、これは、ワイヤ間の拡大された開口部を形成する傾向があり、拡大された開口はスリーブのＥＭＩ、ＲＦＩ、ＥＳＤ遮蔽性能を劣化させる。このため、より効率で製造における端部でのほつれに耐性があり、組み合わされたワイヤの変更、ずれまたは使用中の破損に対してより効率的かつ影響を受けにくく、摩耗に対して信頼性の高い、増加した耐用年数を示す、ＲＦＩ、ＥＭＩ、ＥＳＤシールドが望まれる。
【０００７】
本発明に従って製造された保護スリーブは、上記の従来技術の少なくともこれらの制限を、克服または著しく最小限に抑える。
【発明の概要】
【課題を解決するための手段】
【０００８】
発明の概要
ＥＭＩ、ＲＦＩまたはＥＳＤのうちの少なくとも１つに対して細長い部材を保護するための織物スリーブが提供される。スリーブは、両端部の間を長手方向軸に沿って延びる壁を含む。壁は、互いに組み合わされた複数のフィラメントから形成され、フィラメントの少なくとも１つは、導電ワイヤの連続的なストランドとして提供され、フィラメントの少なくともいくつかは、熱可溶融性非導電フィラメントとして提供される。熱可溶融性非導電フィラメントは、複数の結合ジョイントで導電ワイヤの連続ストランドと当接する。導電ワイヤの連続ストランドは、結合ジョイントにおいて、熱可溶融性非導電フィラメントとともに、結合され少なくとも部分的に固定された取付部に埋め込まれている。
【０００９】
本発明の別の態様によれば、壁は、長手方向の中心軸に概して平行に延びる対向する縁部を有することができ、さらに対向する縁部を互いに重畳する関係に付勢する少なくとも１つのヒートセットフィラメントを含む。
【００１０】
本発明の別の態様によれば、熱可溶融性非導電フィラメントは、モノフィラメントであることができる。
【００１１】
本発明の別の態様によれば、熱可溶融性非導電フィラメントは、マルチフィラメントであることができる。
【００１２】
本発明の別の態様によれば、ヒートセットフィラメントは、モノフィラメントであることができる。
【００１３】
本発明の別の態様によれば、熱可溶融性非導電モノフィラメントと少なくとも１つのヒートセットモノフィラメントとは、第１の溶融温度を有する熱可溶融性材料の外側シースおよび第１の溶融温度よりも大きい第２の溶融温度を有するヒートセット可能な材料の内部コアを有する複合モノフィラメントとして提供されることができる。
【００１４】
本発明の別の態様によれば、複合モノフィラメントの少なくともいくつかは、長手方向軸の周りで周方向に延びることができる。
【００１５】
本発明の別の態様によれば、壁は、長手軸に概して平行に延びる縦糸と、長手軸を概して横切って延びる横糸で織られることができ、縦糸の少なくとも一部は、導電ワイヤの連続的なストランドとして提供されることができ、少なくともいくつかの横糸は、熱可溶融性非導電モノフィラメントおよびヒートセットモノフィラメント、または複合熱可溶融性シース／ヒートセット可能コアモノフィラメントとして提供されることができる。
【００１６】
本発明の別の態様によれば、上記複数のフィラメントは、一般にダイヤモンド形の開口部を形成するために、互いに編組され、上記一般にダイヤモンド形の開口部は、上記結合ジョイントによって大きさおよび形が維持される。
【００１７】
本発明の別の態様によれば、熱可溶融性非導電フィラメントは、マルチフィラメントであることができる。
【００１８】
本発明の別の態様によれば、壁は、長手軸の周りでシームレスかつ周方向に連続することができる。
【００１９】
本発明の別の態様によれば、ＥＭＩ、ＲＦＩまたはＥＳＤのうちの少なくとも１つに対して、細長い部材を保護するための織物スリーブを構築するための方法が提供される。方法は、両端の間の長手方向軸に沿って延びる壁部を複数のフィラメントを互いに組み合わせることによって形成することと、フィラメントの少なくとも１つを導電ワイヤの連続的なストランドとして、フィラメントの少なくとも１つを熱可溶融性非導電フィラメントとして提供することとを備える。さらに、導電ワイヤの連続的なストランドを熱可溶融性非導電フィラメント内に少なくとも部分的に埋め込むことと、導電ワイヤの連続的なストランドを熱可溶融性非導電フィラメントとの相対移動に対して固定することとを備える。
【００２０】
本発明の別の態様によれば、方法はさらに、導電ワイヤの連続的なストランドと熱可溶融性非導電フィラメントを結合され固定された取付部に熱溶融することを含むことができる。
【００２１】
本発明の別の態様によれば、方法はさらに、上記複数のフィラメントの少なくとも１つをヒートセットすることによって、壁部の対向する縁部を互いに重畳する関係に付勢することをさらに含む。
【００２２】
本発明の別の態様によれば、方法はさらに、熱溶融することとヒートセットすることを同時動作において行うことを含むことができる。
【００２３】
本発明の別の態様によれば、方法はさらに、織プロセスで組み合わせることを行うことをさらに含むことができる。
【００２４】
本発明の別の態様によれば、方法はさらに、ワイヤの連続的なストランドを、長手軸に概して平行に延びる縦方向および長手軸を概して横切って延びる横方向に織ることを含むことができる。
【００２５】
本発明の別の態様によれば、方法はさらに、熱可溶融性非導電フィラメントを、第１の溶融温度を有する熱可溶融性材料の外側シースおよび上記第１の溶融温度よりも大きい第２の溶融温度を有するヒートセット可能な材料の内側コアを有する複合モノフィラメントとして提供することを含むことができる。
【００２６】
本発明の別の態様によれば、方法はさらに、外側シースを導電ワイヤの連続的なストランドと結合され固定された取付部に熱溶融することと、壁部の対向する縁部が互いに重畳する関係に内側コアをヒートセットすることによって付勢することとを含むことができる。
【００２７】
本発明の別の態様によれば、方法はさらに、導電ワイヤの連続的なストランドを、非導電マルチフィラメントと共に撚られまたは用いられる少なくとも１つの導電ワイヤの連続的なストランドを含むハイブリッドフィラメントとして提供することを含むことができる。
【００２８】
本発明の別の態様によれば、方法はさらに、組み合わせることを編組プロセスにおいて行うことをさらに含むことができる。
【００２９】
本発明の別の態様によれば、方法はさらに、組み合わせることを編みプロセスにおいて行うことを含むことができる。
【００３０】
図面の簡単な説明
これらおよび他の特徴および利点は、ここで、現在の好ましい実施形態の以下の詳細な説明および最良の形態、添付の特許請求の範囲、および添付図面を考慮して当業者に容易に明らかになるであろう。
【図面の簡単な説明】
【００３１】
【図１Ａ】本発明の１つの現在好ましい実施形態に従って構成された自己巻スリーブの斜視図である。
【図１Ｂ】本発明の別の現在好ましい実施形態に従って構成された自己巻スリーブの斜視図である。
【図１Ｃ】本発明の別の現在好ましい実施形態に従って構成された自己巻スリーブの斜視図である。
【図２】本発明の別の実施形態に従って構成されたシームレススリーブの斜視図である。
【図３Ａ】本発明の様々な態様によるスリーブを構築するために使用されるフィラメントの拡大図である。
【図３Ｂ】本発明の様々な態様によるスリーブを構築するために使用されるフィラメントの拡大図である。
【図３Ｃ】本発明の様々な態様によるスリーブを構築するために使用されるフィラメントの拡大図である。
【図３Ｄ】本発明の様々な態様によるスリーブを構築するために使用されるフィラメントの拡大図である。
【図３Ｅ】本発明の様々な態様によるスリーブを構築するために使用されるフィラメントの拡大図である。
【図３Ｆ】本発明の様々な態様によるスリーブを構築するために使用されるフィラメントの拡大図である。
【図４Ａ】本発明の種々の態様に従って構成されたスリーブの壁の拡大概略部分図である。
【図４Ｂ】本発明の種々の態様に従って構成されたスリーブの壁の拡大概略部分図である。
【図４Ｃ】本発明の種々の態様に従って構成されたスリーブの壁の拡大概略部分図である。
【図４Ｄ】本発明の種々の態様に従って構成されたスリーブの壁の拡大概略部分図である。
【図４Ｅ】本発明の種々の態様に従って構成されたスリーブの壁の拡大概略部分図である。
【発明を実施するための形態】
【００３２】
好ましい実施形態の詳細な説明
図面をより詳細に参照すると、図１Ａは、本発明の１つの現在好ましい実施形態に従って構築された自己巻スリーブ１０を示している。スリーブ１０は、対向する開放端部１６、１８間に長手軸１４に沿って延びる壁１２を有し、ワイヤまたはワイヤハーネスといった、保護されるべき細長い部材または複数の部材１７を保護して受けるためのキャビティ１５を形成するが、これは例示であり限定するものではない。壁１２は、互いに組み合わされた複数のフィラメントから形成され、フィラメントという用語は、モノフィラメントまたはマルチフィラメントを含むことが意図され、以後、必要に応じて、具体的な言及がフィラメントの種類に与えられる。フィラメントの少なくとも１つは、導電ワイヤ２０（図３Ａ〜３Ｃ）の連続ストランドとして提供され、フィラメントの少なくともいくつかは、熱可溶融性モノフィラメントまたは熱可溶融性マルチフィラメントのいずれかの、熱可溶融性非導電フィラメント２２（図３Ｄ〜３Ｆ）として提供される。熱可溶融性非導電フィラメント２２は、ノード２４とも呼ばれる複数の熱融着結合ジョイントにおいて導電ワイヤ２０に当接し、いくつかの場合において、その全体または実質的に全長に沿って導電ワイヤ２０の連続ストランドに当接する。導電ワイヤ２０の連続ストランドは、ノード２４で熱可溶融性非導電フィラメント２２と固定された取付部に少なくとも部分的に埋め込まれ結合され、可能にはその長さに沿っており、このため、不用意な相対移動に対してその意図された位置にワイヤ２０を固定しており、これにより、電磁干渉（ＥＭＩ）、無線周波数干渉（ＲＦＩ）、または静電放電（ＥＳＤ）の少なくとも１つに対するスリーブ１０の電気シールド効果を維持し、最大化し、同時にまた、端部１６、１８を形成するために使用されるコールドカット作業間またはその後のなどに、ワイヤ２０および他のフィラメントの端部のほつれを防止する。
【００３３】
壁１２は、周方向に連続し、シームレスな壁として形成することができ（図２）、長手軸１４に概ね平行に延びる対向する縁部２６、２８を有する「閉鎖スリーブ」または「開」スリーブ（図１Ａ）と時に呼ばれる。開放型構造の対向する縁部２６、２８を互いと重畳する関係に付勢することを容易にするために、壁１２は、たとえば、摂氏約２００〜２２５度の温度でヒートセットされることができる、たとえば、ポリエチレンテレフタレート（ＰＥＴ）またはポリフェニレンサルファイド（ＰＰＳ）のモノフィラメントといった少なくとも１つの非導電性のヒートセット可能なポリマーフィラメント３０を含むことができる。熱可溶融性非導電フィラメント２２およびヒートセット可能な非導電フィラメント３０は、熱可溶融性非導電フィラメント２２を形成する第１の溶融温度を有する材料の外側シース、および非導電性のヒートセット可能なフィラメント３０を形成する第１の融解温度より高い第２の溶融温度を有するヒートセット可能な材料の中心コアを有する、複合モノフィラメント３２（図３Ｃ）として提供されることができる。
【００３４】
本発明の好適な一実施形態では、限定するものではなく例示的にステンレス鋼のようなワイヤ２０は、非導電マルチフィラメント３４のような非導電フィラメント３４と共に用いられ（図３Ｂ）または撚られ（図３Ｃ）、マルチフィラメント３４は、任意の所望の材料として提供されることができる。組み合わせたワイヤ２０と非導電フィラメント３４とは、単一ヤーンフィラメントとして組み合わされることができるハイブリッドヤーン３５を形成する。非導電部材３４は、好ましくは、よりソフトな風合い、強化されたドレープ、強化されたノイズ減衰特性を有するスリーブ１０を提供するマルチフィラメントヤーンとして提供されるが、意図された用途のために所望される場合、モノフィラメントは、非導電部材３４のために使用されることができる。用途に応じて、非導電部材３４は、限定的ではなく一例として、ポリエステル、ナイロン（登録商標）、ポリプロピレン、ポリエチレン、アクリル、綿、レーヨン、及び上記のすべての材料の難燃剤（ＦＲ）のバージョンとして、形成することができるが、ＦＲ材料として提供されている場合、高い温度の定格は、一般的に必要とされない。高い温度定格がＦＲの機能と共に希望される場合には、いくつかの現在好ましい非導電部材は、たとえば、ｍ−アラミド（ノーメックス、コーネックス、Ｋｅｒｍｅｌ）、ｐ−アラミド（ケブラー、トワロン、テクノーラ）、ＰＥＩ（ウルテム）、ＰＰＳを含む。ワイヤ２０の個々のフィラメントは、たとえば、直径が約５０〜１５０ミクロンであり、スリーブ１０内にバンドルされている細長い部材または複数の部材１７に、電磁干渉（ＥＭＩ）、無線周波数干渉（ＲＦＩ）および／または静電放電（ＥＳＤ）の少なくとも１つに対する保護をスリーブ１０に提供する。いったんスリーブ１０の空洞１５内に封入されると、細長い部材１７は、誘導干渉のような不要な電気干渉から最大限の保護を受け、それによって、たとえば、最大運転効率を有して細長い部材１７に接続される制御モータのような任意の電気部品を提供する。また、スリーブ１０は、バンドルされた細長い部材１７が隣接する電気部品と電気的干渉することを防ぐ。
【００３５】
図４Ａに示すように、壁１２は、長手軸１４と概ね平行に縦方向と、長手軸１４を概ね横切って横（横糸）方向とに沿って延びるように組み合わされたハイブリッドヤーン３５を有して示されている。壁１２は、平織りパターンのように織られて示されているが、綾織、サテン、またはその他といった、他の織りパターンが使用されることができる。壁１２は、縦方向に沿って延びるハイブリッドヤーン３５のみを有するものとして示されているが、所望であれば、それは、横方向に延びる熱可溶融性フィラメント２２およびヒートセット可能なフィラメント３０を含み、熱可溶融性フィラメント２２およびヒートセット可能なフィラメント３０は、複合フィラメント３２として提供されることができる。図示の例では、横方向に延びる複合フィラメント３２は、ハイブリッドヤーン３５の対応するものと互いに横並びの関係で織られることができ、１つまたは複数の対のように示される複合フィラメント３２、限定することなく一例として、隣接した各ハイブリッドヤーン３５を有して織られることができる。このため、その横方向に延びるハイブリッドヤーン３５および複合ヤーン３２は、同じく横方向に延びるハイブリッドフィラメント３５の上下に延びるように、いずれかの相において織られることができることを認識すべきである。そうでなければ、それらが互いに織られた相から外れるように、互いから別個に織られることができるということを認識すべきである。
【００３６】
壁１２を織る際に、対向するエッジ２６、２８を互いに重畳する関係にもたらすために、壁１２はカールされることができ、その際、ヒートセット可能なフィラメント（複数可）３０を同時にヒートセットするために、カール壁１２には、同じ時間と温度で、それを溶かすことなく、適切な熱が印加されることができ、これは、熱可溶融性フィラメント２２を、少なくとも部分的に溶融し、そしてそれらの「組み合わされた」、「結合された」巻位置にワイヤを固定するように結合ジョイント２４でワイヤ２０と接合関係に固化することを引き起こす。したがって、ワイヤ２０は、結合の際にその「組み合わされる」位置からずれることを防がれ、熱可溶融性フィラメント２２の熱可溶融性材料内に少なくとも部分的に埋め込まれる。
【００３７】
図１Ｂには、本発明の別の態様に従って構成されたスリーブ１１０が示されており、上記使用されるものと１００だけずらした同じ参照番号が同様の機能に使用される。スリーブ１１０は、織られているというよりはむしろ、対向する端部１１６、１１８の間に長手軸１１４にほぼ平行に延びる対向する縁部１２６、１２８を有する壁１１２を形成するように編組されて（ｂｒａｉｄｅｄ）示されている。当然のことながら、スリーブ１０と同様に、図２に示すように、スリーブ１１０の壁１１２は、周方向に連続的かつシームレスな壁として形成されることができる。図４Ｂ〜４Ｅに最もよく示されるように、壁１１２の異なる実施形態は、ワイヤ１２０を、様々な編組パターンの非導電熱可溶融性フィラメント１２２と、フィラメント１２０、１２２の異なる種類と編組することによって構築されることができる。たとえば、ワイヤ１２０は、上述したように、図３Ｂ〜３Ｃに示されるようなワイヤの個々のストランドとして、または図３Ａに示すようなハイブリッドフィラメント１３５として、提供されることができる。さらに、熱可溶融性フィラメント１２２は、上述したように、図３Ｅに示すようなマルチフィラメント、または図３Ｆに示すようなモノフィラメント、図３Ｄに示すような複合フィラメント１３２等の熱可溶融性材料の個々のストランドとして提供されることができる。壁１１２を編組する際に、壁１１２は、対向縁部１２６、１２８を互いに重畳する関係にもたらすためにカールされることができ、その際、ヒートセット可能なフィラメント１３０が提供される場合にそれを溶融させることなく同時にヒートセットするための適切な熱をカール壁１１２に印加することができ、ノード１２４でそれらの「編組された」位置にワイヤ１２０を結合し固定するために、熱可溶融性フィラメント１２２を少なくとも部分的に溶融しそして固化する。ノード１２４で熱可溶融性フィラメント１２２の熱融合材料に少なくとも部分的に結合され埋め込まれる際に、その「編組」され巻かれた位置からワイヤ１２０がずれることを防止される。ワイヤ１２０が図４Ｂに示すような様々な編組構成において、熱可溶融性フィラメント１２２または複合フィラメント１３２と編組されうることを認識すべきであり、ワイヤ１２０の個々のフィラメントは、熱可溶融性フィラメント１２２または複合フィラメント１３２と編組され結合されている。そうでなければ、ワイヤ１２０はハイブリッドフィラメント１３５を介して、熱可溶融性フィラメント１２２または複合フィラメント１３２（図４Ｃ〜４Ｅ）との横並びの関係で編組されることができる。図４Ｃおよび４Ｄにおいて、ハイブリッドヤーン１３５は、図３Ｃに関して上述したような、マルチフィラメント１３４と撚られたワイヤ１２２として示され、図４Ｅでは、ハイブリッドヤーン１３５は、非導電熱可溶融性モノフィラメント１２２と撚られたワイヤ１２２として示されている。壁１１２が編組されているかにかかわらず、一般的にダイヤモンド形の開口部３６が形成され、導電ワイヤ１２２の連続ストランドによって囲まれており、一般的にダイヤモンド形の開口部３６は、結合ジョイント１２４によってサイズが固定され、これにより、電気的な干渉に対する信頼性の高いシールドを提供するために、ワイヤ１２２によって所望の編組パターンを保証することが維持される。
【００３８】
図１Ｃには、本発明の別の態様に従って構成されたスリーブ２１０が示されており、同様の特徴を識別するために２００だけオフセットされた上述の同じ参照番号が使用される。スリーブ２１０は、織られるか編組されるのではなく、上述したように、個々のワイヤまたはハイブリッドヤーンのいずれかである少なくとも１つワイヤと、上述したようなモノフィラメント、マルチフィラメントまたは複合コンポーネントのいずれかである熱融着部材と編まれ（ｋｎｉｔ）ており、対向する端部２１６，２１８の間の長手軸２１４に概して平行に延びる対向縁部２２６，２２８を有する壁２１２を形成する。当然ながら、壁２１２は、フィラメントの少なくとも１つが導電ワイヤの連続ストランドとして提供されて編まれ（図３Ａ〜３Ｃ）、フィラメントの少なくともいくつかは熱可溶融性非導電フィラメントとして提供される（図３Ｄ〜３Ｆ）。上述の実施形態の場合と同様に、編まれた熱可溶融性非導電フィラメントは、複数の結合ジョイントまたはノードで織られた導電ワイヤの連続ストランドに当接し、ワイヤを、それぞれの熱可溶融性非導電フィラメントに対して「結合された」位置に固定する。当然ながら、上述の織られるか編組された実施形態と同様に、編まれた壁２１２は、周方向に連続したシームレスな壁（図２）として形成されることができる。
【００３９】
明らかに、本発明の多くの修正および変形が上記の教示に照らして可能である。したがって、添付の特許請求の範囲内で、本発明は、具体的に説明した以外の方法で実施できることを理解されたい。
【図１Ａ】
2017524078.tif 000003
【図１Ｂ】
2017524078.tif 000004
【図１Ｃ】
2017524078.tif 000005
【図２】
2017524078.tif 000006
【図３Ａ】
2017524078.tif 000007
【図３Ｂ】
2017524078.tif 000008
【図３Ｃ】
2017524078.tif 000009
【図３Ｄ】
2017524078.tif 000010
【図３Ｅ】
2017524078.tif 000011
【図３Ｆ】
2017524078.tif 000012
【図４Ａ】
2017524078.tif 000013
【図４Ｂ】
2017524078.tif 000014
【図４Ｃ】
2017524078.tif 000015
【図４Ｄ】
2017524078.tif 000016
【図４Ｅ】
2017524078.tif 000017
【国際調査報告】
2017524078.tif 000018
2017524078.tif 000019